(57)【要約】【課題】従来品よりも組み立て作業が容易で生産性の高いトイレットペーパーロール用芯棒を提供すること。【解決手段】可動軸１０が開口部６から挿入される際には、スリット７のスリット幅の狭い部分が弾性変形してスリット幅が広がりつつ可動軸１０が空洞部内へと進入するとともに、突起部１５が狭いスリット幅の部分を通過した時点で弾性変形した部分が元のスリット幅に戻ることにより、芯棒側直角面９の部分に突起部１５が引っかかって可動軸１０が開口部６から抜け落ちない状態になる。したがって、可動軸１０を開口部６から挿入するだけで、トイレットペーパーロール用芯棒１を組み立てることができるため、従来品よりも容易に組み立て作業を行うことができる。また、従来品のような固定筒が不要となるので、その分だけ部品数を少なくすることができる。【選択図】図１
2009172233.tif 000002
【特許請求の範囲】
【請求項１】
内部に空洞部を有し、一端に前記空洞部に通じる開口部が形成された芯棒と、
前記空洞部内に配置されたバネと、
第１の端部は前記開口部から突出した状態、第２の端部は前記空洞部内に配置された状態にあり、外力が加えられて前記空洞部内へ押し込まれた場合には、前記バネを圧縮する一方、前記外力が加わらなくなった場合には、圧縮された前記バネの復元力により元の位置に復帰する可動軸と
を備え、
前記可動軸は、前記開口部から挿入されて前記芯棒に組み付けられたものであり、前記可動軸が前記開口部から挿入される際には、前記可動軸および前記芯棒の内、少なくとも一方が弾性変形しつつ前記可動軸が前記空洞部内へと進入するとともに、前記可動軸が所定以上前記空洞部内へ進入した時点で前記弾性変形した部分の形状が復元することにより、前記可動軸の一部が前記芯棒に引っかかって前記可動軸が前記開口部から抜け落ちない状態になる
ことを特徴とするトイレットペーパーロール用芯棒。
【請求項２】
前記芯棒は、前記開口部が形成された前記一端から他端に向かって延びるスリットを有するとともに、前記可動軸は、前記スリットに嵌まり込んだ状態で前記スリットに沿って移動する突起部を有し、
前記スリットの幅は、前記開口部近傍の部分が他の部分に比べて狭くなっていて、前記可動軸が前記開口部から挿入される際には、前記突起部が前記スリット幅の狭い部分を弾性変形させつつ前記スリット内へと進入し、前記突起部が前記スリット幅の狭い部分を通過した時点で前記弾性変形した部分の形状が復元することにより、前記突起部が前記スリット幅の狭い部分に引っかかって前記可動軸が前記開口部から抜け落ちない状態になる
ことを特徴とする請求項１に記載のトイレットペーパーロール用芯棒。
【請求項３】
前記芯棒には、前記突起部が前記スリット幅の狭い部分を通過する際に前記突起部に当接する芯棒側当接面が形成されていて、前記芯棒側当接面には、前記スリット幅が前記開口部側から前記芯棒の他端に向かって徐々に狭くなるようなテーパが付けられている
ことを特徴とする請求項２に記載のトイレットペーパーロール用芯棒。
【請求項４】
前記突起部には、前記突起部が前記スリット幅の狭い部分を通過する際に前記芯棒に当接する突起部側当接面が形成されていて、前記突起部側当接面には、前記突起部の幅が前記第１の端部側から前記第２の端部側に向かって徐々に狭くなるようなテーパが付けられている
ことを特徴とする請求項２または請求項３に記載のトイレットペーパーロール用芯棒。
【請求項５】
内部に空洞部を有し、一端に前記空洞部に通じる開口部が形成された芯棒と、
前記空洞部内に配置されたバネと、
第１の端部は前記開口部から突出した状態、第２の端部は前記空洞部内に配置された状態にあり、外力が加えられて前記空洞部内へ押し込まれた場合には、前記バネを圧縮する一方、前記外力が加わらなくなった場合には、圧縮された前記バネの復元力により元の位置に復帰する可動軸と
を備えるトイレットペーパーロール用芯棒の組み立て方法であって、
前記バネを前記開口部から前記空洞部へ挿入し、
次に、前記可動軸を前記開口部から挿入し、その際、前記可動軸および前記芯棒の内、少なくとも一方を弾性変形させつつ前記可動軸を前記空洞部内へと進入させると、前記可動軸を所定以上前記空洞部内へ進入させた時点で前記弾性変形した部分の形状が復元して前記可動軸の一部が前記芯棒に引っかかり、前記可動軸が前記開口部から抜け落ちない状態になる
ことを特徴とするトイレットペーパーロール用芯棒の組み立て方法。
【発明の詳細な説明】
【技術分野】
【０００１】
本発明は、トイレットペーパーロールを回転可能な状態で保持するホルダーに対して、トイレットペーパーロールを取り付ける際に、トイレットペーパーロールの回転中心に挿し込まれて回転軸として機能するトイレットペーパーロール用芯棒およびその組み立て方法に関する。
【背景技術】
【０００２】
従来、トイレットペーパーロール用芯棒としては、芯棒の一端に可動軸が突出した構造になっていて、可動軸に外力を加えると可動軸が芯棒内に押し込まれる一方、外力を加えるのをやめると芯棒内に組み込まれたバネの力で可動軸が元の位置に戻るものが知られている（例えば、特許文献１を参照。）。
【０００３】
このような構造のトイレットペーパーロール用芯棒は、従来、芯棒に形成された空洞部内にバネおよび可動軸を組み込んでから、芯棒の開口端部に固定筒を組み付けることにより、バネおよび可動軸が芯棒の開口端部から抜け落ちるのを防止していた。
【特許文献１】実開昭６３−１６７９９７号公報
【発明の開示】
【発明が解決しようとする課題】
【０００４】
しかしながら、上記のような構造とされた従来のトイレットペーパーロール用芯棒は、組み立て作業に手間がかかる、という欠点があった。
具体的には、上記従来のトイレットペーパーロール用芯棒の組み立て作業においては、バネを芯棒の空洞部に挿入した後に、可動軸を空洞部に挿入し、固定筒を芯棒の開口端部に緊嵌状態になるように強制的に嵌めて組み付けている。
【０００５】
しかし、このような組み立て作業では、可動軸を空洞部に挿入した後、可動軸がバネの弾性力で芯棒から飛び出さないように保持する作業と、固定筒を組み付ける作業を作業者が同時に実施しなければならず、組み立て作業に手間がかかるという問題があった。
【０００６】
また、上記のような固定筒は、僅かな力で芯棒の開口端部に嵌め込むことができるような構造になっていると、芯棒への取り付け後に、バネの力を受けて芯棒から外れてしまうおそれがある。そのため、固定筒を芯棒の開口端部に強固に取り付けるには、相応に強い外力をかけて固定筒を芯棒に力ずくで嵌め込まなければならない。
【０００７】
したがって、芯棒と固定筒とを強固に固着するには多大な労力を要し、嵌め込み作業にかなりの手間がかかり、生産性が低下する要因となっていた。また、固定筒を芯棒に力ずくで嵌め込んでも固定筒や芯棒が破損しないように、固定筒や芯棒の機械的強度を高めるような設計をしなければならなかった。
【０００８】
本発明は、上記問題を解決するためになされたものであり、その目的は、従来品よりも組み立て作業が容易で生産性の高いトイレットペーパーロール用芯棒を提供することにある。
【課題を解決するための手段】
【０００９】
以下、本発明において、上記目的を達成するために採用した構成について説明する。
本発明のトイレットペーパーロール用芯棒は、内部に空洞部を有し、一端に前記空洞部に通じる開口部が形成された芯棒と、前記空洞部内に配置されたバネと、第１の端部は前記開口部から突出した状態、第２の端部は前記空洞部内に配置された状態にあり、外力が加えられて前記空洞部内へ押し込まれた場合には、前記バネを圧縮する一方、前記外力が加わらなくなった場合には、圧縮された前記バネの復元力により元の位置に復帰する可動軸とを備え、前記可動軸は、前記開口部から挿入されて前記芯棒に組み付けられたものであり、前記可動軸が前記開口部から挿入される際には、前記可動軸および前記芯棒の内、少なくとも一方が弾性変形しつつ前記可動軸が前記空洞部内へと進入するとともに、前記可動軸が所定以上前記空洞部内へ進入した時点で前記弾性変形した部分の形状が復元することにより、前記可動軸の一部が前記芯棒に引っかかって前記可動軸が前記開口部から抜け落ちない状態になることを特徴とする。
【００１０】
このようなトイレットペーパーロール用芯棒であれば、可動軸を開口部から挿入するだけで、可動軸の一部が芯棒に引っかかって可動軸が開口部から抜け落ちない状態になる。そのため、芯棒とは別部品の固定筒を芯棒に固着することによって可動軸の脱落を防止していた従来品とは異なり、本発明のトイレットペーパーロール用芯棒であれば、固定筒の組み付け作業が不要となる。したがって、従来品よりも容易に組み立て作業を行うことができるようになり、生産性を向上させることができる。
【００１１】
また、上述のように固定筒が不要となるので、その分だけ部品数を少なくすることができ、製造コストを低減することもできる。
次に、本発明のトイレットペーパーロール用芯棒において、前記芯棒は、前記開口部が形成された前記一端から他端に向かって延びるスリットを有するとともに、前記可動軸は、前記スリットに嵌まり込んだ状態で前記スリットに沿って移動する突起部を有し、前記スリットの幅は、前記開口部近傍の部分が他の部分に比べて狭くなっていて、前記可動軸が前記開口部から挿入される際には、前記突起部が前記スリット幅の狭い部分を弾性変形させつつ前記スリット内へと進入し、前記突起部が前記スリット幅の狭い部分を通過した時点で前記弾性変形した部分の形状が復元することにより、前記突起部が前記スリット幅の狭い部分に引っかかって前記可動軸が前記開口部から抜け落ちない状態になる構造であると好ましい。
【００１２】
このようなトイレットペーパーロール用芯棒であれば、突起部とスリットという比較的簡素な構造を設けるだけで、上述のような「可動軸の一部が芯棒に引っかかって可動軸が開口部から抜け落ちない状態になる構造」を実現することができる。
【００１３】
すなわち、このような突起部とスリット部が設けてあれば、突起部がスリット幅の狭い部分を弾性変形させつつ通過できるほどの押圧力で可動軸を開口部から押し込むだけで、突起部がスリット幅の狭い部分に引っかかって可動軸が開口部から抜け落ちない状態になる。したがって、従来品のような固定筒の組み付け作業を要さないため、トイレットペーパーロール用芯棒を従来品に比べ容易に組み立てることができる。
【００１４】
また、突起部とスリットを設けるだけで、可動軸が芯棒から抜け落ちない構造のトイレットペーパーロール用芯棒を組み立てることができる。したがって、従来品のような固定筒が不要となるため、部品数を少なくすることができる。
【００１５】
次に、本発明のトイレットペーパーロール用芯棒において、前記芯棒には、前記突起部が前記スリットは場の狭い部分を通過する際に前記突起部に当接する芯棒側当接面が形成されていて、前記芯棒側当接面には、前記スリット幅が前記開口部側から前記芯棒の他端に向かって徐々に狭くなるようなテーパが付けられていると好ましい。
【００１６】
このようなトイレットペーパーロール用芯棒であれば、可動軸を開口部から挿入する時に、テーパが付けられた芯棒側当接面に沿って突起部をスリット内にスムーズに進入させることができる。したがって、上記のようなテーパが芯棒側当接面に付けられていない場合に比べ、より一層容易にトイレットペーパーロール用芯棒を組み立てることができ、さらなる生産性の向上を図ることができる。
【００１７】
次に、本発明のトイレットペーパーロール用芯棒において、前記突起部には、前記突起部が前記スリット幅の狭い部分を通過する際に前記芯棒に当接する突起部側当接面が形成されていて、前記突起部側当接面には、前記突起部の幅が前記第１の端部側から前記第２の端部側に向かって徐々に狭くなるようなテーパが付けられていると好ましい。
【００１８】
このようなトイレットペーパーロール用芯棒であれば、突起部をスリット幅の狭い部分へ進入させる際に、テーパが付けられた突起部側当接面でスリット幅を押し広げることができる。したがって、上記のようなテーパが突起部側当接面に付けられていない場合に比べ、より一層容易にトイレットペーパーロール用芯棒を組み立てることができるようになり、生産性の向上を図ることができる。
【００１９】
また、本発明のトイレットペーパーロール用芯棒の組み立て方法は、前記バネを前記開口部から前記空洞部へ挿入し、次に、前記可動軸を前記開口部から挿入し、その際、前記可動軸および前記芯棒の内、少なくとも一方を弾性変形させつつ前記可動軸を前記空洞部内へと進入させると、前記可動軸を所定以上前記空洞部内へ進入させた時点で前記弾性変形した部分の形状が復元して前記可動軸の一部が前記芯棒に引っかかり、前記可動軸が前記開口部から抜け落ちない状態になることを特徴とする。
【００２０】
このような組み立て方法であれば、バネを芯棒の空洞部に挿入した後に、可動軸を開口部から押し込み挿入するだけで、可動軸が開口部から抜け落ちないトイレットペーパーロール用芯棒を組み立てることができる。したがって、従来のように固定筒を組み付ける工程を要さないため、そのような工程が不要となる分だけ、トイレットペーパーロール用芯棒の組み立て作業にかかる手間が軽減され、トイレットペーパーロール用芯棒の生産性を向上させることができる。
【発明を実施するための最良の形態】
【００２１】
次に、本発明の実施形態について、一例を挙げて説明する。
図１（ａ）は、本発明の実施形態におけるトイレットペーパーロール用芯棒１の上面図であり、図１（ｂ）は、トイレットペーパーロール用芯棒１の下面図である。また、図２（ａ）は、図１（ａ）のＡ−Ａ断面図であり、図２（ｂ）は、可動軸１０の上面図であり、図２（ｃ）は、可動軸１０の側面図である。
【００２２】
トイレットペーパーロール用芯棒１は、芯棒２、可動軸１０、およびバネ２０により構成されている。可動軸１０は、一端が芯棒２から突出した状態で、他端が芯棒２内に配置された状態で芯棒２に組み付けられている。そして、バネ２０は、芯棒２内に配置されており、組み付けられた可動軸１０の他端に常に接触した状態になっている。
【００２３】
上述のような構造のトイレットペーパーロール用芯棒１において、芯棒２から突出している可動軸１０の一端に外力が加えられて可動軸１０が芯棒２内に押し込まれた場合には、可動軸１０はバネ２０を圧縮し、一方、上記外力が加わらなくなった場合には、圧縮されたバネ２０の復元力により、可動軸１０は元の位置に復帰する。
【００２４】
次に上述のトイレットペーパーロール用芯棒１を構成する芯棒２および可動軸１０の形状について説明する。
芯棒２には、内部に空洞部５が形成されており、一端に空洞部５に通じる開口部６が形成されている。空洞部５は、開口部６から他端に向かって芯棒２の軸方向の略中央まで形成されている。
【００２５】
また、芯棒２には、開口部６側の一端から他端に向かって軸方向に延びるスリット７が形成されている。スリット７には、後述する可動軸１０の突起部１５がスリット７に沿って移動する際に芯棒２に当接する芯棒側当接面８が形成されている。開口部６近傍の芯棒側当接面８には、芯棒２の軸方向と直角を成す芯棒側直角面９がスリット７の両辺に各々形成されている。この芯棒側直角面９が形成されている部分のスリット幅は、芯棒側直角面９がスリット７の両辺に形成されているため、スリット７の他の箇所に比べ狭くなっている。さらに、開口部６から芯棒側直角面９までの部分の芯棒側当接面８には、開口部６から芯棒側直角面９に向かってスリット幅が徐々に狭くなるようなテーパが付けられている。
【００２６】
さらに、芯棒２には、貫通孔４が３箇所形成されている（図３（ｂ）および（ｃ）を参照。）。この貫通孔４は、芯棒２を成形する際に使用する冶具を取り付けるための孔である。また、芯棒２は、略中央から他端に向かって先が徐々に細くなっている形状とされている。芯棒２には、略中央から他端に至るまでの部分に軸方向の溝３が２箇所形成されている。溝３は、芯棒２の軸心を中心に対向する位置に形成されている（図３（ｄ）を参照。）。
【００２７】
次に、可動軸１０には、空洞部５内に配置される他端に、スリット７に嵌まり込んだ状態でスリット７に沿って移動する突起部１５が形成されている（図３（ａ）を参照。）。この突起部１５は、可動軸１０の軸方向に対して垂直な３つの側面を有し、これら３つの側面により、可動軸１０の軸方向に対して平行な断面は、略二等辺三角形をなす形状となっている。そして、これら３つの側面の内、一つの側面は、可動軸１０の軸方向に対して直角を成すような突起部側直角面１７となっている。また、突起部側直角面１７とは異なる二つの側面は、突起部１５がスリット７の開口部６から芯棒側直角面９までの間を通過する際に芯棒２に当接する突起部側当接面１８となっている。この突起部側当接面１８には、突起部１５の幅が可動軸１０の一端側から他端側に向かって徐々に狭くなるようなテーパが付けられている。
【００２８】
次に、上述のようなトイレットペーパーロール用芯棒１の組み立て方法について、以下に説明する。
このトイレットペーパーロール用芯棒１を組み立てる際には、まず、芯棒２の開口部６から空洞部５へバネ２０を挿入し、空洞部５内にバネ２０を配置する。次に、突起部１５がスリット７に嵌まり込むように突起部１５とスリット７の位置を合せて、可動軸１０の一端側から押圧力を加えて、可動軸１０を開口部６から芯棒２へ押し込む。
【００２９】
この時、突起部１５は、スリット７に嵌まり込んだ状態でスリット７に沿って移動し、スリット７の開口部６から芯棒側直角面９までの間を通過する際には、スリット幅の狭い部分を押し広げる。その際、スリット幅の狭い部分は弾性変形してスリット幅が拡大し、突起部１５はスリット幅の狭い部分を通過する。そして、突起部１５がスリット幅の狭い部分を通過した後に、その押し広げられたスリット幅が元の狭いスリット幅に復元する。
【００３０】
狭い部分のスリット幅は、突起部側直角面１７の幅に比べ狭くなっている。したがって、可動軸１０が芯棒２に組みつけられると、可動軸１０にバネ２０の復元力が加わっても、復元したスリット幅の狭い部分に突起部側直角面１７が引っかかるので、可動軸１０は開口部６から抜け落ちない。
【００３１】
以上のような構造のトイレットペーパーロール用芯棒１であれば、トイレットペーパーロール用芯棒１を組み立てる際、可動軸１０を芯棒２に押し込むというワンタッチ作業のみで、可動軸１０が開口部６から抜け落ちない状態にすることができる。したがって、従来品とは異なり、固定筒のような別部品を芯棒に取り付けなくても済み、組み立て作業にかかる手間を軽減して、生産性を向上させることができる。
【００３２】
また、スリット７において、芯棒側当接面８には上述のようなテーパが付けられているため、テーパが付けられていない場合に比べ、芯棒側当接面８に沿って突起部１５をスリット７内にスムーズに進入させることができる。
【００３３】
また、突起部１５において、突起部側当接面１８には上述のようなテーパが付けられているため、テーパが付けられていない場合に比べ、突起部１５によりスリット７のスリット幅の狭い部分を容易に押し広げることができる。
【００３４】
さらに、トイレットペーパーロール用芯棒１をトイレットペーパーロールの中心孔に挿入する時には、芯棒２の他端側から挿入する。その際、溝３が形成されていることにより、芯棒２とトイレットペーパーロールとの当接部分を減らすことができ、芯棒２をトイレットペーパーロールの中心孔に挿入する際の摩擦抵抗を軽減させることができる。
【００３５】
以上、本発明の実施形態について説明したが、本発明は上記の具体的な一実施形態に限定されず、この他にも種々の形態で実施することができる。
例えば、上記実施形態においては、突起部の形状について、可動軸の軸方向に対して平行な断面が略二等辺三角形をなす形状である旨を説明したが、突起部の形状は、スリットのスリット幅の狭い部分に引っかかるような形状であればどのような形状であってもよい。
【００３６】
具体的な一例を挙げれば、可動軸の軸方向に対して平行な断面が円形となる突起部などを設けてもよい。このような断面円形の突起を設けた場合でも、円形断面の直径をスリット幅の狭い部分のスリット幅よりも大きくしておけば、可動軸を芯棒に組み付けた場合には、突起部がスリット幅の狭い部分に引っかかるので、上記実施形態で説明した突起部と全く同等に機能する突起部を構成することができる。
【００３７】
また、上記実施形態においては、芯棒に形成された狭いスリット幅の部分が弾性変形する旨を説明したが、芯棒側が弾性変形するものには限定されず、例えば、可動軸を芯棒に挿し込む際に、可動軸側に形成された部分が弾性変形する構造となっていてもよい。
【図面の簡単な説明】
【００３８】
【図１】（ａ）は本発明の実施形態として説明したトイレットペーパーロール用芯棒の上面図であり、（ｂ）は本発明の実施形態として説明したトイレットペーパーロール用芯棒の下面図である。
【図２】（ａ）は図１（ａ）におけるＡ−Ａ断面図であり、（ｂ）は可動軸の上面図であり、（ｃ）は可動軸の側面図である。
【図３】（ａ）は図２（ａ）のＢ−Ｂ断面における芯棒および可動軸の端面図であり、（ｂ）は同図のＣ−Ｃ断面における芯棒の端面図であり、（ｃ）は同図のＤ−Ｄ断面における芯棒の端面図であり、（ｄ）は同図のＥ−Ｅ断面における芯棒の端面図である。
【符号の説明】
【００３９】
１・・・トイレットペーパーロール用芯棒、２・・・芯棒、３・・・溝、４・・・貫通孔、５・・・空洞部、６・・・開口部、７・・・スリット、８・・・芯棒側当接面、９・・・芯棒側直角面、１０・・・可動軸、１５・・・突起部、１７・・・突起部側直角面、１８・・・突起部側当接面、２０・・・バネ。
【図１】
2009172233.tif 000003
【図２】
2009172233.tif 000004
【図３】
2009172233.tif 000005